(57)【特許請求の範囲】
【請求項１】
局側装置に対し光伝送路を介して複数の加入者側装置がそれぞれ接続されるＰＯＮシステムにおいて、
前記局側装置は、
加入者認識情報とサービス内容とを加入者毎に格納するデータベースと、自律的なレンジングを実施する際に新たな加入者側装置の接続を検出したとき、監視制御チャネルを利用し、当該新規接続の加入者側装置に対し、前記加入者認識情報であるサービス契約時に設定しておいた加入者の住所および氏名を含んだ加入者情報を問い合わせる制御メッセージを発行して加入者情報を取得する手段と、取得した加入者情報に基づき前記データベースを検索して前記新規接続の加入者側装置へのサービス提供を開始するかどうかを判定し、サービス提供を開始すると判断した場合には、さらに、加入者およびサービス内容を特定し、特定したサービス内容に基づいた帯域設定と、コネクション設定を行う手段とを備え、
前記加入者側装置は、
加入者が入力する住所および氏名に対応した加入者情報を保持する手段と、前記局側装置からの加入者情報を問い合わせる制御メッセージを受けて加入者情報を通知する応答メッセージを発行する手段とを備える
ことを特徴とするＰＯＮシステム。
【請求項２】
局側装置に対し光伝送路を介して複数の加入者側装置がそれぞれ接続されるＰＯＮシステムにおいて、
前記局側装置は、加入者認識情報とサービス内容とを加入者毎に格納するデータベースを用意し、自律的なレンジングを実施する際に新たな加入者側装置の接続を検出したとき、監視制御チャネルを利用し、当該新規接続の加入者側装置に対し、前記加入者認識情報であるサービス契約時に設定しておいた加入者の住所、氏名を含んだ加入者情報を問い合わせる制御メッセージを発行し、
前記加入者側装置は、加入者が入力する住所および氏名に対応した加入者情報を保持し、前記局側装置からの制御メッセージを受けて加入者情報を通知する応答メッセージを発行し、
前記局側装置は、前記加入者側装置からの応答メッセージから取得した加入者情報に基づき前記データベースを検索して前記新規接続の加入者側装置へのサービス提供を開始するかどうかを判定し、サービス提供を開始すると判断した場合には、さらに、加入者およびサービス内容を特定し、特定したサービス内容に基づいた帯域設定と、コネクション設定を行う
ことを特徴とするＰＯＮシステムにおける加入者側装置接続方法。
【発明の詳細な説明】
【技術分野】
【０００１】
この発明は、局側装置と複数の加入者側装置とが光伝送路を介して１対Ｎの通信を行う受動光ネットワーク（Passive  Optical  Network：以降「ＰＯＮシステム」と記す）および加入者側装置接続方法に関するものである。
【背景技術】
【０００２】
ＰＯＮシステムとしては、従来、例えば非特許文献１に規定されたものが知られている。以下、第１図〜第５図を参照して、非特許文献１に規定される従来のＰＯＮシステムのうちこの発明に関わる部分についてその概要を説明する。
【０００３】
第１図は、従来のＰＯＮシステムの構成例を示すブロック図である。第１図に示すＰＯＮシステムは、局側装置（Optical  Line  Termination：以降、「ＯＬＴ」と記す）１００に対し、複数の加入者側装置（Optical  Network  Unit：以降、「ＯＮＵ」と記す）１２０が光伝送路１３０を介して接続される構成である。そして、ＯＬＴ１００には、通信事業者が操作するオペレーションシステム（Operations  System：以降「ＯｐＳ」と記す）１４０が接続されている。
【０００４】
光伝送路１３０は、一端がＯＬＴ１００に接続される一つの幹線光ファイバ１３１と、一端が複数のＯＮＵ１２０にそれぞれ接続される複数の支線光ファイバ１３２と、幹線光ファイバ１３１の他端と複数の支線光ファイバ１３２の他端とを接続する光分岐結合器であるスプリッタ１３３とで構成されている。
【０００５】
ＯＬＴ１００は、ＯＬＴ側の物理レイヤを終端する物理レイヤ終端機能部１０１と、物理レイヤ終端機能部１０１と外部の各種サービスノードとの接続を行うサービスノードインタフェース機能部１０２と、ＯＬＴの動作パラメータを保持するデータベース１０３と、以上の各部を監視制御してＯＬＴ内の各種設定を行う監視制御機能部１０４とを備えている。
【０００６】
ＯＮＵ１２０は、ＯＮＵ側の物理レイヤを終端する物理レイヤ終端機能部１２１と、図示しない端末と物理レイヤ終端機能部１２１との接続を行うユーザインタフェース機能部１２２と、物理レイヤ終端機能部１２１を監視制御してＯＮＵ内の各種設定を行う監視制御機能部１２３と、ＯＮＵ製造時に付与される固体番号（シリアル番号）を保持し物理レイヤ終端機能部１２１の利用に供する固体番号保持部１２４とを備えている。
【０００７】
次に、第２図は、ＯＬＴとＯＮＵとの間で行われる通信形態を説明する概念図である。第２図では、加入者Ａ，加入者Ｂ，加入者Ｃの３台のＯＮＵ１２０ａ、１２０ｂ、１２０ｃがＯＬＴ１００と通信する場合が示されている。第２図（ａ）は、ＯＬＴがＯＮＵに対して送信する下り信号の形態を示している。第２図（ｂ）は、ＯＮＵがＯＬＴに対して送信する上り信号の形態を示している。
【０００８】
第２図（ａ）に示すように、ＯＬＴ１００が３台のＯＮＵ１２０ａ、１２０ｂ、１２０ｃ宛に送信する下り信号ＡＢＣは、幹線光ファイバ１３１から各支線光ファイバ１３２に同報で伝達される。３台のＯＮＵ１２０ａ、１２０ｂ、１２０ｃは、受信した下り信号ＡＢＣの中から自ＯＮＵ宛の信号を取り込むようになっている。
【０００９】
第２図（ｂ）に示すように、３台のＯＮＵ１２０ａ、１２０ｂ、１２０ｃは、支線光ファイバ１３２に送出した上り信号が幹線光ファイバ１３１上で時分割多重されるようなタイミング関係で上り信号を支線光ファイバ１３２に送出する。これは、ＯＬＴ１００が各ＯＮＵの識別情報を使用して各ＯＮＵの上り信号が衝突しないように各ＯＮＵの上り信号送信時間をスケジューリングし、下り制御信号を用いて各ＯＮＵに上り信号が衝突しない送信タイミングを通知することにより実現される（第３図参照）。
【００１０】
第３図は、ＯＬＴが行う上り信号の送信タイミング制御を説明する図である。第３図において、ＯＬＴは、３台のＯＮＵに識別情報“０１”  “０２”  “０３”をそれぞれ割り当てて上り信号送信時間をスケジューリングし、下り制御信号である送信許可信号３０１によって、ＯＮＵ＿０１にはタイムスロットＴ１を指定し、ＯＮＵ＿０２にはタイムスロットＴ２を指定し、ＯＮＵ＿０３にはタイムスロットＴ３を指定する。その結果、ＯＬＴへの上り信号は、衝突することなく、時分割多重される。
【００１１】
第３図の説明から理解できるように、ＰＯＮシステムに新規にＯＮＵを接続するときは、ＯＬＴはその新規接続のＯＮＵに識別情報を付与する必要がある。このとき、同時に複数のＯＮＵがＰＯＮシステムに接続される可能性もある。したがって、ＯＬＴでは、ＯＮＵ毎に識別情報の付与が行える機構が必要である。これは、ＯＮＵ製造時に一意の固体番号を付与するので、ＯＬＴは、後述する２つの方法（第４図と第５図を参照）で固体番号を取得してデータベース１０３に登録し、その登録した固体番号を指定することにより各ＯＮＵに識別情報を付与することで実現することができる。
【００１２】
次に、第４図と第５図を参照して、ＯＬＴ１００のデータベース１０３にＯＮＵの固体番号を登録する方法を説明する。第４図は、ＯｐＳ１４０を用いてオペレータ（通信事業者）がＯＬＴ１００にＯＮＵの固体番号を登録する方法を説明する図である。この方法では、オペレータはＯＬＴ１００に接続されるＯＮＵの固体番号を予め知っていることが前提になっている。
【００１３】
第４図（ａ）では、固体番号「Ｓ／Ｎ＝００８００００２」を持つＯＮＵ１２０ｄと、固体番号「Ｓ／Ｎ＝０００００５０１」を持つ１２０ｅとが新規に設置されるとしている。
【００１４】
第４図（ｂ）では、ＯｐＳ１４０を用いてオペレータがＯＬＴ１００に２台のＯＮＵ１２０ｄ，１２０ｅの固体番号「Ｓ／Ｎ」を入力する。ＯＬＴ１００では、監視制御機能部１０４が識別情報“０１”“０２”を割り当ててデータベース１０３に保持する。データベース１０３には「ＯＮＵ＿０１：Ｓ／Ｎ＝０００００５０１」と「ＯＮＵ＿０２：Ｓ／Ｎ＝００８００００２」が保持される。
【００１５】
第４図（ｃ）では、ＯＬＴの監視制御部１０４は、物理レイヤ終端機能部１０１にデータベース１０３から読み出した固体番号を設定する。物理レイヤ終端機能部１０１は、設定された個体番号を持つＯＮＵに対する識別情報付与が完了するまで周期的に識別情報付与手順を繰り返す。ＯＮＵ１２０ｄ，１２０ｅでは、物理レイヤ終端機能部１２１が、固体番号保持部１２４に保持されているＯＮＵ製造時に付与された固体番号（Ｓ／Ｎ＝００８００００２、Ｓ／Ｎ＝０００００５０１）とＯＬＴ１００が行う識別情報付与手順で指定した固体番号とが一致した場合にのみ反応する。これによって、ＯＮＵ１２０ｄには、識別情報ＯＮＵ＿０２が付与され、ＯＮＵ１２０ｅには、識別情報ＯＮＵ＿０１が付与される。
【００１６】
第５図は、ＯＬＴ１００が自律的にＯＮＵの固体番号を取得する方法を説明する図である。この方法では、オペレータはＯＬＴ１００に接続されるＯＮＵの固体番号を予め知っている必要がない。
【００１７】
第５図（ａ）では、固体番号「Ｓ／Ｎ＝０００００５０１」を持つＯＮＵ１２０ｆと、固体番号「Ｓ／Ｎ＝００８００００２」を持つ１２０ｇとが新規に設置されるとしている。
【００１８】
第５図（ｂ）では、ＯＬＴ１００の物理レイヤ終端機能１０１が、周期的に、あるいはＯｐＳ１４０からのオペレータ操作による指示に従って、識別情報が付与されていないＯＮＵ１２０ｆ，１２０ｇに対し自固体番号を通知する上りメッセージの送信を許可する。ＯＬＴ１００から送信を許可されたＯＮＵ１２０ｆ，１２０ｇでは、物理レイヤ終端機能２０１が、固体番号保持部１２４に保持されているＯＮＵ製造時に付与された固体番号（Ｓ／Ｎ＝０００００５０１、Ｓ／Ｎ＝００８００００２）を送信する。ＯＬＴ１００では、ＯＮＵ１２０ｆ，１２０ｇの固体番号（Ｓ／Ｎ＝０００００５０１、Ｓ／Ｎ＝０００８０００２）を含む上りメッセージを受信すると、監視制御機能部１０４がデータベース１０３に取り込む。
【００１９】
第５図（ｃ）では、ＯＬＴの監視制御部１０４は、データベース１０３に取り込んだＯＮＵ１２０ｆ，１２０ｇの固体番号（Ｓ／Ｎ＝０００００５０１、Ｓ／Ｎ＝０００８０００２）に識別情報“０１”“０２”を割り当てる。その結果、データベース１０３には、「ＯＮＵ＿０１：Ｓ／Ｎ＝０００００５０１」と「ＯＮＵ＿０２：Ｓ／Ｎ＝００８００００２」が保持される。そして、監視制御部１０４は、物理レイヤ終端機能部１０１にデータベース１０３から読み出した固体番号を設定する。以降、第４図（ｃ）と同様の識別情報付与手順が実施され、ＯＮＵ１２０ｆには、識別情報ＯＮＵ＿０１が付与され、ＯＮＵ１２０ｇには、識別情報ＯＮＵ＿０２が付与される。
【００２０】
ここで、ＰＯＮシステムでは、ＯＬＴは、各ＯＮＵに対して、各ＯＮＵが送信許可信号を受けて上りデータ送信を行うまでの遅延時間を設定している。これは、ＯＬＴからＯＮＵまでの距離によってＯＮＵの反応時間が異なるので、各ＯＮＵ個別に遅延時間を設定することでその反応時間を一定値に揃え、ＯＬＴ受信端では上り信号を隙間なく多重するためである。
【００２１】
そして、前述の識別情報付与手順と上記の遅延時間設定とを含めて「レンジングプロセス」と呼び、このレンジングプロセスが完了したＯＮＵの状態を「運用状態」と定義している。また、オペレータ（通信事業者）がＯｐＳからＯＬＴにＯＮＵの固体番号を登録する第４図に示めす方法を「レンジング方法Ａ」と定義し、ＯＬＴが自律的にＯＮＵの固体番号を取得する第５図に示めす方法を「レンジング方法Ｂ」と定義している。
【００２２】
ところで、加入者に通信サービスを提供するためには、各加入者との契約に基づいた帯域、接続先等の各種設定が必要となる。また、契約が完了していない、あるいは料金が未払いである加入者についてはサービスを提供しないようにする必要もある。したがって、ＯＬＴでは、ＯＮＵの固体番号だけでなく、そのＯＮＵを使用する加入者に関する情報も管理する必要がある。
【００２３】
レンジング方法Ａでは、契約に基づく加入者宅へのＯＮＵ設置（第４図（ａ））とＯＬＴへの固体番号（Ｓ／Ｎ）登録（第４図（ｂ））とは連携して行われるので、オペレータ（通信事業者）は、加入者とＯＮＵ固体番号との対応を把握している。つまり、ＯＬＴのデータベースにＯＮＵ固体番号と加入者との対応、契約したサービス内容を設定することができる。したがって、ＯＬＴは、登録されているＯＮＵに対するレンジングプロセス完了後に、直ちに契約内容に応じたサービスを開始することができる。
【００２４】
一方、レンジング方法Ｂでは、第５図にて説明したように、オペレータ（通信事業者）がＯＬＴに接続したＯＮＵの固体番号を知らなくても、ＯＮＵを運用状態にすることができるが、ＯＬＴのデータベースには、契約したサービス内容のみが設定されることになる。したがって、ＯＬＴは、取得した固体番号がどの加入者に属するかを特定することができないので、契約済み加入者かどうかの判定や契約されたサービス内容の特定ができず、加入者のＯＮＵ接続後に直ちにサービスを開始することができないという問題がある。
【００２５】
このような理由から従来のＰＯＮシステムでは、レンジング方法Ａが採用されていたが、近年、加入者が量販店等からＯＮＵを購入し独自にＯＬＴに接続するような環境（以降「端末開放環境」という）に対応できるようにすべきとの要請が高まっている。この要請に対してレンジング方法Ａでは、通信事業者が宅内装置であるＯＮＵを管理しなければならないので、端末開放環境には対応できないという問題がある。
【００２６】
したがって、端末開放環境に対応できるレンジング方法Ｂを実施できるＰＯＮシステムの構築が必要となるが、端末開放環境下においてＯＬＴが加入者をどのようにして特定できるようにするかが問題である。
なお、上記した非特許文献１は、以下の通りである。
【００２７】
【非特許文献１】ＩＴＵ−Ｔ勧告Ｇ．９８３．１(SERIES  G:TRANSMISSION  SYSTEMS  AND  MEDIA,DIGITAL  SYSTEMS  AND  NETWORKS)  Digital  transmission  systems−Digital  section  and  digital  line  system−Optical  line  systems  for  local  and  access  Broadband  optical  access  based  on  Passive  Optical  Networks(PON)
【発明の開示】
【発明が解決しようとする課題】
【００２８】
この発明は、上記に鑑みてなされたものであり、端末開放環境下において、加入者が購入して設置したＯＮＵについて自律的なレンジングを実施して直ちにサービスの開始が行えるＰＯＮシステムおよび加入者側装置接続方法を得ることを目的とする。
【課題を解決するための手段】
【００２９】
この発明では、局側装置に対し光伝送路を介して複数の加入者側装置がそれぞれ接続されるＰＯＮシステムにおいて、前記局側装置は、加入者認識情報とサービス内容とを加入者毎に格納するデータベースと、自律的なレンジングを実施する際に新たな加入者側装置の接続を検出したとき、当該新規接続の加入者側装置に対して加入者認識情報を問い合わせる制御メッセージを発行して加入者認識情報を取得する手段と、取得した加入者認識情報に基づき前記データベースを検索して加入者およびサービス内容を特定し、特定したサービス内容に基づいた帯域設定、コネクション設定を行う手段とを備え、前記加入者側装置は、加入者が入力する加入者認識情報を保持する手段と、前記局側装置からの加入者認識情報を問い合わせる制御メッセージを受けて加入者認識情報を通知する応答メッセージを発行する手段とを備えることを特徴とする。
【発明の効果】
【００３０】
この発明によれば、局側装置は、つまりＰＯＮシステムでは、端末開放環境下において加入者が購入して設置した加入者側装置について自律的なレンジングを実施して直ちにサービスの開始が行えるプラグアンドプレイ機能を実現することができる。
【発明を実施するための最良の形態】
【００３１】
以下に添付図面を参照して、この発明にかかるＰＯＮシステムおよび加入者側装置接続方法の好適な実施の形態を詳細に説明する。
【００３２】
実施の形態１．
第６図は、この発明の実施の形態１であるＰＯＮシステムの構成を示すブロック図である。第６図に示すＰＯＮシステムは、局側装置（Optical  Line  Termination：以降、「ＯＬＴ」と記す）６００に対し、複数の加入者側装置（Optical  Network  Unit：以降、「ＯＮＵ」と記す）６２０が光伝送路６３０を介して接続される構成である。そして、ＯＬＴ６００には、通信事業者が操作するオペレーションシステム（Operations  System：以降「ＯｐＳ」と記す）６４０が接続されている。
【００３３】
光伝送路６３０は、一端がＯＬＴ６００に接続される一つの幹線光ファイバ６３１と、一端が複数のＯＮＵ６２０にそれぞれ接続される複数の支線光ファイバ６３２と、幹線光ファイバ６３１の他端と複数の支線光ファイバ６３２の他端とを接続する光分岐結合器であるスプリッタ６３３とで構成されている。
【００３４】
ＯＬＴ６００は、ＯＬＴ側の物理レイヤを終端する物理レイヤ終端機能部６０１と、物理レイヤ終端機能部６０１と外部の各種サービスノードとの接続を行うサービスノードインタフェース機能部６０２と、ＯＬＴの動作パラメータを保持するデータベース６０３と、以上の各部を監視制御してＯＬＴ内の各種設定を行う監視制御機能部６０４とを備えている。
【００３５】
ＯＮＵ６２０は、ＯＮＵ側の物理レイヤを終端する物理レイヤ終端機能部６２１と、図示しない端末と物理レイヤ終端機能部６２１との接続を行うユーザインタフェース機能部６２２と、物理レイヤ終端機能部６２１を監視制御してＯＮＵ内の各種設定を行う監視制御機能部６２３と、ＯＮＵ製造時に付与される固体番号（シリアル番号）を保持し物理レイヤ終端機能部６２１の利用に供する固体番号保持部６２４と、加入者が設定したパスワードを保持し物理レイヤ終端機能部６２１の利用に供するパスワード保持機能部６２５とを備えている。
【００３６】
この実施の形態１では、端末開放環境下において新規加入者を特定し直ちにサービスを開始するプラグアンドプレイ機能を実現する方法の一例として、物理レイヤの制御メッセージであるＰＬＯＡＭ（Physical  Layer  Operation  and  Maintenance）メッセージを用いる場合が示されている。
【００３７】
以下、第７図を参照して、第６図に示すＰＯＮシステムにて実現されるプラグアンドプレイ機能について説明する。なお、第７図は、第６図に示すＰＯＮシステムにて実施される加入者側装置の接続手順を説明するシーケンス図である。
【００３８】
第７図において、手順Ｔ１では、加入者７０１と通信事業者７０２が契約し、通信事業者７０２が加入者７０１に対して１０バイト以内のパスワードを発行する。
【００３９】
手順Ｔ２では、通信事業者７０２は、ＯｐＳ６４０を操作して、加入者７０１に発行したパスワードと契約したサービス接続先、割当帯域などのサービス内容とをＯＬＴ６００のデータベース６０３に設定する。
【００４０】
手順Ｔ３と手順Ｔ４では、加入者７０１は、通信事業者７０２が発行した１０バイト以内のパスワードを購入したＯＮＵ６２０のパスワード保持機能部６２５に入力し、その購入したＯＮＵ６２０を加入者線（支線光ファイバ６３２）に接続する。
【００４１】
手順Ｔ５では、ＯＬＴ６００は、レンジング方法Ｂによるレンジングプロセスを実施する際に、新規ＯＮＵの接続有無を監視し、新たなＯＮＵ６２０の接続を検出すると、その新規接続のＯＮＵ６２０から固体番号を取得し、識別情報を付与し、また遅延時間を設定し、ＯＮＵ６２０を運用状態にする。
【００４２】
手順Ｔ６では、ＯＬＴ６００は、次いで、運用状態にしたＯＮＵ６２０に対してパスワードを問い合わせる制御メッセージ（ＰＬＯＡＭメッセージ）であるＲｅｑｕｅｓｔ＿ｐａｓｓｗｏｒｄメッセージを送信する。
【００４３】
手順Ｔ７では、ＯＮＵ６２０は、Ｒｅｑｕｅｓｔ＿ｐａｓｓｗｏｒｄメッセージを受けて、ＰＬＯＡＭメッセージに定義された応答メッセージであるパスワード（Ｐａｓｓｗｏｒｄ）メッセージに手順Ｔ３にて設定したパスワードを含めて通知する。
【００４４】
手順８では、ＯＬＴ６００は、受け取ったＰａｓｓｗｏｒｄメッセージからパスワードを取り出し、そのパスワードを検索キーとしてデータベース６０３を検索する。
【００４５】
手順Ｔ９では、ＯＬＴ６００は、データベース６０３に一致するパスワードが存する場合は、データベース６０３に設定されているサービス内容を取り出し、該当ＯＮＵ６２０に対するコネクション設定、割当帯域設定を行う。これによって、新規接続のＯＮＵ６２０を使用する加入者に対して、接続後直ちにサービスを開始することができる。
【００４６】
なお、データベース６０３に一致するパスワードがない場合には、未契約の加入者ということになるので、この場合には、ＯＬＴ６００は、該当ＯＮＵにはサービスを提供しないようにし、不正な使用を防ぐようにしている。
【００４７】
このように、実施の形態１によれば、ＯＬＴが自律的にレンジングを完了したＯＮＵに対して、パスワードを用いて加入者を特定するので、契約完了した加入者が量販店で購入したＯＮＵをネットワークに接続後直ちにサービス開始することができる。すなわち、端末開放環境下においてＰＯＮシステムに要求されるプラグアンドプレイ機能を実現することができる。
【００４８】
実施の形態２．
第８図は、この発明の実施の形態２であるＰＯＮシステムの構成を示すブロック図である。なお、第８図では、第６図（実施の形態１）に示した構成要素と同一ないしは同等である構成要素には同一の符号が付されている。ここでは、この実施の形態２に関わる部分を中心に説明する。
【００４９】
すなわち、第８図に示すように、この実施の形態２によるＰＯＮシステムでは、第６図（実施の形態１）に示した構成において、ＯＮＵ６２０に代えて、ＯＮＵ８２０が設けられている。ＯＮＵ８２０では、ＯＮＵ６２０において、パスワード保持機能部６２５に代えて、加入者が設定する住所、氏名等の加入者情報が保持される加入者情報保持機能部８２５が設けられている。この加入者情報保持機能部８２５は、監視制御機能部６２３に接続されている。
【００５０】
この実施の形態２では、端末開放環境下において新規加入者を特定し直ちにサービスを開始するプラグアンドプレイ機能を実現する方法の他の例として、ＯＬＴ・ＯＮＵ間に設けられる監視制御チャネルの制御メッセージを用いる場合が示されている。
【００５１】
以下、第９図を参照して、第８図に示すＰＯＮにて実現されるプラグアンドプレイ機能について説明する。なお、第９図は、第８図に示すＰＯＮシステムにて実施される加入者側装置の接続手順を説明するシーケンス図である。
【００５２】
第９図において、手順Ｔ１０では、加入者９０１と通信事業者９０２が契約する。
【００５３】
手順Ｔ１１では、通信事業者９０２は、ＯｐＳ６４０を操作して、加入者９０１の住所、氏名等の加入者情報と、契約したサービス接続先、割当帯域などのサービス内容とをＯＬＴ６００のデータベース６０３に設定する。
【００５４】
手順Ｔ１２と手順Ｔ１３では、加入者９０１は、購入したＯＮＵ８２０の加入者情報保持機能部８２５に住所、氏名等の加入者情報を入力し、その購入したＯＮＵ８２０を加入者線（支線光ファイバ６３２）に接続する。
【００５５】
手順Ｔ１４では、ＯＬＴ６００は、レンジング方法Ｂによるレンジングプロセスを実施する際に、新規ＯＮＵの接続有無を監視し、新たなＯＮＵ８２０の接続を検出すると、その新規接続のＯＮＵ８２０から固体番号を取得し、識別情報を付与し、また遅延時間を設定し、ＯＮＵ８２０を運用状態にする。
【００５６】
手順Ｔ１５では、ＯＬＴ６００は、次いで、運用状態にしたＯＮＵ８２０との間で監視制御チャネルを設定する。
【００５７】
手順Ｔ１６と手順Ｔ１７では、設定した監視制御チャネルによる制御メッセージを用いて、ＯＬＴ６００はＯＮＵ８２０に対して加入者情報を要求し、ＯＮＵ８２０はＯＬＴ６００に対して手順Ｔ１２に設定した加入者情報を通知する。
【００５８】
手順１８では、ＯＬＴ６００は、受け取った加入者情報を検索キーとしてデータベース６０３を検索する。
【００５９】
手順Ｔ１９では、ＯＬＴ６００は、データベース６０３に一致する加入者情報が存する場合は、データベース６０３に設定されているサービス内容を取り出し、該当ＯＮＵ８２０に対するコネクション設定、割当帯域設定を行う。これによって、新規接続のＯＮＵ８２０を使用する加入者に対して、接続後直ちにサービスを開始することができる。
【００６０】
なお、データベース６０３に一致する加入者情報がない場合には、未契約の加入者ということになるので、この場合には、実施の形態１と同様に、ＯＬＴ６００は、該当ＯＮＵにはサービスを提供しないようにし、不正な使用を防ぐようにしている。
【００６１】
このように、実施の形態２によれば、ＯＬＴが自律的にレンジングを完了したＯＮＵに対して、加入者情報を用いて加入者を特定するので、契約完了した加入者が量販店で購入したＯＮＵをネットワークに接続後直ちにサービス開始することができる。すなわち、実施の形態１と同様に、端末開放環境下においてＰＯＮシステムに要求されるプラグアンドプレイ機能を実現することができる。
【００６２】
ここで、ＰＬＯＡＭメッセージを使用する加入者特定方法では、使用できる制御メッセージのバイト数に制限があるので、実施の形態１にて説明したように、少ないバイト数で済むパスワードのみを用いることになる。これに対して、実施の形態２によるＯＬＴ・ＯＮＵ間の監視制御チャネルを使用する方法では、ＯＬＴとＯＮＵの間で交換する情報量に制限がなくなるので、パスワード以外に住所や氏名などより多くの情報をＯＬＴとＯＮＵの間で交換して加入者を特定することができる。
【産業上の利用可能性】
【００６３】
この発明は、加入者が任意に購入して設置した加入者側装置について自律的なレンジングを実施し、加入者とそのサービス内容の特定が行えるので、端末開放環境下においてＰＯＮシステムに要求されるプラグアンドプレイ機能を実現するのに好適である。
【図面の簡単な説明】
【００６４】
【図１】第１図は従来のＰＯＮシステムの構成例を示すブロック図である。
【図２】第２図は第１図に示すＯＬＴとＯＮＵとの間で行われる通信形態を説明する概念図である。
【図３】第３図は第１図に示すＯＬＴが行う上り信号の送信タイミング制御を説明する図である。
【図４】第４図は第１図に示すＯｐＳを用いてオペレータ（通信事業者）がＯＬＴにＯＮＵの固体番号を登録する方法を説明する図である。
【図５】第５図は第１図に示すＯＬＴが自律的にＯＮＵの固体番号を取得する方法を説明する図である。
【図６】第６図はこの発明の実施の形態１であるＰＯＮシステムの構成を示すブロック図である。
【図７】第７図は第６図に示すＰＯＮシステムにて実施される加入者側装置の接続手順を説明するシーケンス図である。
【図８】第８図はこの発明の実施の形態２であるＰＯＮシステムの構成を示すブロック図である。
【図９】第９図は第８図に示すＰＯＮシステムにて実施される加入者側装置の接続手順を説明するシーケンス図である。
【図１】
0004368853.tif 000002
【図２】
0004368853.tif 000003
【図３】
0004368853.tif 000004
【図４】
0004368853.tif 000005
【図５】
0004368853.tif 000006
【図６】
0004368853.tif 000007
【図７】
0004368853.tif 000008
【図８】
0004368853.tif 000009
【図９】
0004368853.tif 000010